Podtech/llm-jp-corpus-v4-ja_patent huggingface dataset:
(57)【要約】【課題】母趾球骨頭が靴に触れないパッドを提供する。【解決手段】ナイロン布織布とポリウレタンフォームを用いて、高さ２．５ｃｍ長さ５ｃｍ程の流線形のパッドを作製し、母趾球骨頭の先端から爪先に向けた窪みにパッドの断面を当て、バンドエイドを貼り固定して使用する事を特徴とする外反母趾パッド。【選択図】図１
2015144800.tif 000002
【特許請求の範囲】
【請求項１】
エラストマー樹脂等の柔らかいプラスチックを用いて雫形のパットを作製し、母趾の第一関節から母趾球の骨頭迄の間に貼る。または靴の内側に貼ることを特徴とする外反母趾用パット。
【発明の詳細な説明】
【技術分野】
【０００１】  本発明は、外反母趾の人がハイヒールを履いても痛みの起きない外反母趾用パットに関するものである。
【背景技術】
【０００２】  従来、外反母趾の人は母趾球の骨頭が靴に当たって痛い為、つま先部が広くヒールの低い靴を履いていた。この痛みを解消する為矯正ストラップ（特許文献１参照）、足用補助用具及び足用補助バンド（特許文献２参照）、鼻緒付き靴（特許文献３参照）等が申請されている。
他にも崩れた中足骨の横アーチを再生する開帳足手術、中足骨を持ち上げるパットやインソール、母趾球骨頭に貼るパット等が知られている。
【先行技術文献】
【特許文献】
【０００３】
【特許文献１】特開  ２０１２−０００１６８号  公報
【特許文献２】特開  ２００７−３１３０４３号  公報
【特許文献３】特開  ２０１２−２００３３３号  公報
【発明の概要】
【発明が解決しようとする課題】
【０００４】  矯正ストラップを使用して母趾球の骨頭を矯正することや、補助バンドを装着してつま先部の狭いハイヒールを履く事は不可能である。
鼻緒付き靴はストッキングの使用ができず、開帳足手術の評価は良くない、インソールや中足骨パットは急性期には効果がなく、母趾球の骨頭のパットは靴の圧力が加わり痛みが増す。
本発明は、以上の問題点を解決する為になされたものである。
【課題を解決する為の手段】
【０００５】  エラストマー樹脂等の柔らかいプラスチックを用いて雫形のパットを作製し、母趾球の骨頭から母趾の第一関節までの間を埋めるようにして貼る。またその位置に該当する靴の内側に貼ることも可能である。
以上の構成よりなる外反母趾用パットである。
【発明の効果】
【０００６】  ハイヒールを履いた時靴の圧力がパットに架かり、飛び出した骨頭に直接触れなくなり、痛みが生じなくなる。
【図面の簡単な説明】
【０００７】
【図１】本発明の斜視図
【図２】本発明の使用状態を示す斜視図
【発明を実施する為の形態】
【０００８】  以下本発明の実施の形態を説明する。
本発明は雫形に作製したパットである。
本発明を使用する時は雫形のパットを鋭角に曲った母趾球の先端部から母趾の第一関節の間に貼って使用する。また使用する靴の内側に貼ることも可能である。
【符号の説明】
【０００９】１靴、  ２母趾第一関節、  ３雫形パット、  ４母趾球骨頭
【図１】
2015144800.tif 000003
【図２】
2015144800.tif 000004
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
ナイロン布織布とポリウレタンフォームを用いて、高さ２．５ｃｍ長さ５ｃｍ程の流線形のパッドを作製し、母趾球骨頭の先端から爪先に向けた窪みにパッドの断面を当て、バンドエイドを貼り固定して使用する事を特徴とする外反母趾パッド。
【手続補正２】
【補正対象書類名】明細書
【補正対象項目名】全文
【補正方法】変更
【補正の内容】
【発明の詳細な説明】
【技術分野】
【０００１】本発明は、外反母趾の人がハイヒールを履いても痛みの起きない外反母趾パッドに関するものである。
【背景技術】
【０００２】従来、外反母趾の人は母趾球の骨頭が靴に当たって痛い為、つま先部が広くヒールの低い靴を履いていた。この痛みを解消する為矯正ストラップ（特許文献１参照）、足用補助用具及び足用補助バンド（特許文献２参照）、鼻緒付き靴（特許文献３参照）等があった。
他にも崩れた中足骨の横アーチを再生する開帳足手術、中足骨を持ち上げるパッドやインソール、母趾球骨頭に貼るパッド等が知られている。
【先行技術文献】
【特許文献】
【０００３】
【特許文献１】特開  ２０１２−０００１６８号  公報
【特許文献２】特開  ２００７−３１３０４３号  公報
【特許文献３】特開  ２０１２−２００３３３号  公報
【発明の概要】
【発明が解決しようとする課題】
【０００４】矯正ストラップを使用して母趾球の骨頭を矯正することや、補助バンドを装着してつま先部の狭いハイヒールを履く事は不可能だった。
鼻緒付き靴はストッキングの使用ができず、開帳足手術の評価は良くない、インソールや中足骨パッドは急性期には効果がなく、母趾球骨頭のパッドは靴の圧力が加わり痛みが増す。
本発明は、これらの問題点を解決する為になされたものである。
【課題を解決する為の手段】
【０００５】ナイロン不織布とポリウレタンフォームを用いて、高さ２．５ｃｍ長さ５ｃｍ程の流線形のパッドを作製し、母趾球骨頭の先端から爪先に向けた窪みにパッドの断面を当て、バンドエイドを貼り固定して使用する。
以上を特徴とする外反母趾パッドである。
【発明の効果】
【０００６】パッドが母趾球骨頭よりも外側に張り出して貼られている為、骨頭はパッドに保護されて靴に触れなくなり痛みが生じなくなる。
【図面の簡単な説明】
【０００７】
【図１】本発明の斜視図である。
【図２】本発明の使用状態を示す斜視図である。
【発明を実施する為の形態】
【０００８】以下本発明の実施の形態を説明する。
本発明は流線形に作製したパッドである。
本発明を使用する時はパッドの断面を母趾球骨頭の先端から爪先に向けた窪みに当て、バンドエイドを貼り固定する。
【符号の説明】
【０００９】１  靴    ２  爪先    ３  パッド    ４  母趾球骨頭
【手続補正３】
【補正対象書類名】図面
【補正対象項目名】全図
【補正方法】変更
【補正の内容】
【図１】
2015144800.tif 000005
【図２】
2015144800.tif 000006
(57)【要約】【課題】プラスチックの薄型まな板で食材を切って運ぶとお鍋に食材全部がお鍋に入らずにこぼれ落ちていた。うまく食材を中に入れようとまな板をお鍋の縁に置いて安定を施すと、お鍋は熱いのでプラスチックのまな板は溶けてしまう。開閉式のまな板は耐久性が弱い。まな板は使い終わるとまな板ラックを使用して立てて収納する必要があった。【解決手段】まな板をＬ字状に設け、一方をまな板面とし、他方を食材の運ぶ面とし、まな板の端にＵ字の切り込みを形成し、まな板の裏面には耐熱材を設けたまな板。【選択図】図３
2015144797.tif 000002
【特許請求の範囲】
【請求項１】
まな板をＬ字状に設けてまな板面と運ぶ面を形成し、まな板面の端にＵ字の切り込みを形成し、まな板の裏面に耐熱材を設けたまな板。
【発明の詳細な説明】
【技術分野】
【０００１】  本発明はプラスチック薄型まな板を改良し、使いやすくしたまな板に関するものである。
【背景技術】
【０００２】  従来まな板は木やプラスチックのものが使われてきた。最近では軽量の薄型プラスチックまな板もよく使われるようになってきた。
【発明の概要】
【発明が解決しようとする課題】
【０００３】  従来よく使われて来た木製やプラスチック製の厚みのあるまな板は、切った食材を運ぶ際には重みがあり片手でまな板をお鍋や小鉢に運ぶことは力のない女性やお年寄りには負担があった。お鍋の上に重いまな板を運んで食材を包丁で滑らせて行くとまな板の横からこぼれ落ちて入りにくかった。
プラスチックの薄型まな板が商品化されて軽量になり、まな板の上の食材はスムーズにお鍋の上まで運べるようになりましたが、まな板を傾けてお鍋に食材を投入しようとするとまな板の横から食材がこぼれてしまうことは改善されていなかった。食材をもっとお鍋に入れようとまな板を熱いお鍋の縁に置いて安定を施すとプラスチックのまな板は熱で溶けた。
まな板の収納にはまな板ラックやまな板を掛ける所を必要とする。
開閉式でスムーズに食材を運ぶまな板もあったが使用していると開閉の部分を酷使して割れて壊れてしまう。
本発明は以上の問題点を解決するものである。
【課題を解決するための手段】
【０００４】  本発明はまな板をＬ字状に設け、一方をまな板面とし、他方を食材の運ぶ面とし、まな板の端にＵ字の切り込みを形成し、まな板の裏面には耐熱材を設けたまな板。
【発明の効果】
【０００５】  従来こぼれやすかったまな板の上の食材をお鍋に確実に運ぶ事が出来、軽量で親指の差し込みがあるので片手でまな板を保持するのが容易になった。
又、まな板が熱い鍋に接触した際に、まな板が溶けだしていたのを耐熱材がそれを防ぎ、食材を切る時に出る音に対して耐熱材が消音効果をもたらす。
更に、Ｌ字の構造を生かし、きゅうり等丸い物を切った際に転がっていく食材を受け止める事も可能。まな板を立てて収納することを提供。
【図面の簡単な説明】
【０００６】
【図１】本発明の斜視図
【図２】本発明の使用状態を示す斜視図
【図３】本発明のまな板から食材を鍋に移す状態を示す斜視図
【発明を実施するための形態】
【０００７】以下本発明の実施の形態を説明する
（イ）Ｌ字型のまな板はまな板面（１）と野菜等を切ったものを運ぶ面（２）で構成されている。
（ロ）まな板の裏面（３）には耐熱性の部材を取り付け、例えばシリコンラバーを施すと良い。
（ハ）まな板（１）の端には親指を入れる為のＵ字状の切り込み（４）を形成している。
本発明は以上のような構造である。
本発明を使用する時は図２で示すように、まな板面（１）で食材を包丁で切り、切り終わった後は食材をまな板面（１）と運ぶ面（２）の角へ寄せる。
図３に示すように、まな板面（１）の端にＵ字状の切り込み（４）を設け、このＵ字状切り込み（４）に親指を差し込み、まな板を持ち上げるようにしている。この事によってお鍋（５）の上にまな板を運び包丁を滑らせながら、食材を入れていく。Ｌ字の構造を利用するので食材はこぼれることなくスムーズにお鍋に入る。まな板の裏面はシリコンラバーを施しているので熱いお鍋の縁にまな板を置いても、接触面の裏が溶けることなく食材を運ぶ事が出来る。
【符号の説明】
【０００８】１  まな板面、２  運ぶ面、３  まな板の裏面、４  Ｕ字状の切り込み、５  鍋
【図１】
2015144797.tif 000003
【図２】
2015144797.tif 000004
【図３】
2015144797.tif 000005
(57)【要約】【目的】丸柱（２）は、４本あるので、ドライバーの気持の良い所が眠気防止には、効果のある、押圧部位である、これも実験の結果である、走行中や、停車中でも、万ヶ一にでも、眠気が、してきたら、押圧部位を、素早く当て直す。【構成】背面板（１）に丸柱（２）を、４本立て、上面に弾性帯（３）を、はり付け、収納ケース（５）に、スポンジ（４）１枚と合せて入れる。【選択図】図１  図３  図４
2015144801.tif 000002
【特許請求の範囲】
【請求項１】
１枚の板（１）に丸柱（２）を取り付け、この上面に弾性帯（３）を、はり付け、この上面にケース大のスポンジ（４）を１枚合せて、弾性感のあるケース（５）に入れる、以上の如く構成された、ドライバー眠気防止背面押圧当て。
【発明の詳細な説明】
【発明の詳細な説明】
【産業上の利用分野】
【０００１】この発明はドライバーやパイロットの椅子の背もたれに吊し、背面の部位の上・中・下と丸柱４本で親指の指圧のごとく押圧する、背面押圧当てに関するものである。
【背景技術】
【０００２】従来の背面当ては、夏のあつい時、背もたれと背中との空間を作るのが目的の物と、背中のＳ字カーブを保つ物、座布団を３〜４等分の巾にした腰あて等があった、
【発明が解決しようとする課題】
【０００３】従来の物と本発明品とは、目的と構造が全く違います、
本発明は丸柱（２）を図１の様に配し、丸柱の上面に弾性帯（３）をはり付け、丸柱４本が親指で押圧している様な感覚にして、かなめの背面のツボを押圧、する為になされたものである。
【問題を解決するための手段】
【０００４】ドライバーやその他、椅子に、すわって仕事をする人の悩みは、いつ眠気がして、くるか全くわかりません。
本発明は元気ハツラツで、眠気防止の為に、なされたもので背面当てを背骨の両側の筋肉に沿って、腰の部位から肩甲骨のある、上位部まで、信号待ちの時や渋滞で停車すれば、上方、下方へと、ずらして、強く弱くと、上体を、左右に動かして押圧する。
【作用】
【０００５】本発明の背面当ての型に、なるのに、１０年以上、８００個以上の走行実験の結果である。
この背面当てを使って、背骨の両側の筋肉を腰の部位から、肩甲骨のある上位部まで押圧するには、丸柱の高さと、間隔が、作用の、かなめである。
背面当てを使用すれば、元気ハツラツ、自信満々で運転出来る。
【実施例】
【０００６】（１）背面板．丸柱．角柱をプラスチックにした物
（２）丸柱、角柱の上面を球面にした物
（３）弾性品の椅子の背もたれに凹凸を配し、本発明の効果のある物。
【発明の効果】
【０００７】眠気防止には、背骨の両側の押圧が絶大な効果が、ある事を発見した。逆説の実験で、眠気がして、もう危ないと思う時まで待って背面当てを腰に当てれば、３秒でスーッと眠気が、さめて行き、４〜５秒で、正視・正動と完全に正気に戻った、慌てる事なく、背面当てを使用すれば、元気ハツラツ、自信満々で毎日楽しく運転出来る、
【図面の簡単な説明】
【図１】平面図
【図２】側面図
【図３】スポンジ斜視図
【図４】収納したケース斜視図
【符号の説明】１．板    ２．丸柱    ３  弾性帯    ４  スポンジ    ５  収納ケース
【図１】
2015144801.tif 000003
【図２】
2015144801.tif 000004
【図３】
2015144801.tif 000005
【図４】
2015144801.tif 000006
(57)【要約】      （修正有）【課題】苦味を生じさせることなく、香ばしい香りを有し、呈味性の良好な納豆加工品を提供する。【解決手段】高温加熱した納豆に小豆、手亡豆、ささげ豆、黒豆、白小豆を各単体又は併用して乾物換算で５重量パーセント以上ミックスするか、納豆に小豆、手亡豆、ささげ豆、黒豆、白小豆を各単体又は併用して乾物換算で５重量パーセント以上ミックスした後高温加熱してなる納豆加工品。【選択図】なし【特許請求の範囲】
【請求項１】
高温加熱した納豆に小豆、手亡豆、ささげ豆、黒豆、白小豆を各単体又は併用して乾物換算で５重量パーセント以上ミックスするか、納豆に小豆、手亡豆、ささげ豆、黒豆、白小豆を各単体又は併用して乾物換算で５重量パーセント以上ミックスした後高温加熱してなる納豆加工品。
【請求項２】
高温加熱した納豆に小豆、手亡豆、ささげ豆、黒豆、白小豆を各単体又は併用して乾物換算で５重量パーセント以上ミックスするか、納豆に小豆、手亡豆、ささげ豆、黒豆、白小豆を各単体又は併用して乾物換残で５重量パーセント以上ミックスした後高温加熱してなる納豆加工品の製造方法。
【発明の詳細な説明】
【技術分野】
【０００１】
本発明は納豆を主原料とし、嫌味のない香ばしい香りを有する、今までの市場にない、納豆の苦手な人でも食べられる良質な納豆加工品を提供すること及びその製造技術に関するものである。
【背景技術】
【０００２】
納豆は高温加熱処理により、特有の嫌な香りと、苦味を生じるため、納豆を素材とした加工品は極めて少ない。通常の納豆のにおいと味の改良に関する発明は特開２００６−１４９３０６に記載されているが、この発明は納豆のにおいと味の改良に関するものであり、本発明は納豆を１２０℃で処理することにより、納豆のにおいを別の香ばしい香りに変え、かつ納豆を高温加熱することにより苦味が著しく発生するという問題を解決することで、同じにおいと味に関する発明であるが、目的も構成も全く異なり、本発明を示唆する記載すらありません。
【先行技術文献】
【特許文献】
【０００３】
【特許文献１】特開２００６−１４９３０６号公報
【発明の概要】
【発明が解決しようとする課題】
【０００４】
本発明は納豆を高温加熱しても苦味を生じさせることなく、香ばしい香りと良好な呈味性を有する、今までの市場にない納豆加工品をつくることにある。
【課題を解決するための手段】
【０００５】
本発明の構成要件は、
1．通常の納豆を主原料とする。
2．高温加熱処理をした納豆と小豆、手亡豆、ささげ豆、黒豆、白小豆を各単体又は併用して５重量パーセント以上ミックスするか、又は納豆と小豆、手亡豆、ささげ豆、黒豆、白小豆を５重量パーセント以上ミックスしたものを高温加熱処理することにより課題を解決できる。
【０００６】
この現象のメカニズムは解明できていないが、納豆の高温加熱の際生じる苦み成分と、小豆、手亡豆、ささげ豆、黒豆、白小豆に含有する成分とが、反応して、苦みのないものに変化するか、苦みとなる成分と小豆、手亡豆、ささげ豆、黒豆、白小豆の成分が反応して、苦みの生じない成分に変化する為と推定される。納豆にミックスする小豆、手亡豆、ささげ豆、黒豆、白小豆は粉体の状態でも、加水膨潤させた状態でも、加水膨潤加熱した状態でも作用効果に変わりはないので、どの方法をとるかは、適宜選択すればよい。
【０００７】
以下試験例、実施例により説明する。
試験例１：納豆に添加して苦みを抑制する効果のある豆類の、効果の発現する添加量を試験をした。
試験方法：定法通りに調製したひき割り納豆に、水で２４時間膨潤させミキサーで粉砕した小豆、手亡豆、ささげ豆、黒豆、白小豆を添加混合し、この検体をアルミラミネート袋に50ｇずつ分注し、口を密封し、１２０℃で３０分間加熱し、２４時間ホールデングした後開封して官能試験をおこなった。結果は苦みがあり：＋、やや苦みがある：＋−、苦みがない：−で記した。
比較のために、前記試験において、ひきわり納豆のみをアルミラミネート袋に50ｇ入れ、口を密封し、１２０℃で３０分間加熱し、２４時間ホールデングした後開封して官能試験をおこなった。結果は著しい苦みがあり判定結果は＋であつた。
ａ．納豆に小豆をミックスした後高温加熱した区。試験結果は表１に記す。
ｂ．納豆に手亡豆をミックスした後高温加熱した区。試験結果は表１に記す。
ｃ．納豆にささげ豆をミックスした後高温加熱した区。試験結果は表１に記す。
ｄ．納豆に黒豆をミックスした後高温加熱した区。試験結果は表１に記す。
ｅ．納豆に白小豆をミックスした後高温加熱した区。試験結果は表１に記す。
尚、豆の添加量は乾物換算である。
【０００８】
【表１】
2015144575.tif 000002
【０００９】
試験例２：高温加熱した納豆に添加して苦みを抑制する効果のある豆類の、効果の発現する添加量を試験した。
試験方法：定法通りに調製したひき割り納豆を１２０℃で３０分間加熱した後、水で２４時間膨潤させミキサーで粉砕した小豆、手亡豆、ささげ豆、黒豆、白小豆及をそれぞれ添加混合し、この検体をアルミラミネート袋に５０ｇずつ分注し口を密封し、冷蔵庫で７℃にて２４時間保存したのち開封して官能試験をおこなった。
ｆ．高温加熱した納豆に小豆をミックスした区。試験結果は表２に記す。
ｇ．高温加熱した納豆に手亡豆をミックスした区。試験結果は表２に記す。
ｈ．高温加熱した納豆にささげ豆をミックスした区。試験結果は表２に記す。
ｉ．高温加熱した納豆に黒豆をミックスした区。試験結果は表２に記す。
ｊ．高温加熱した納豆に白小豆をミックスした区。試験結果は表２に記す。
【００１０】
【表２】
2015144575.tif 000003
【発明の効果】
【００１１】
以上のように苦みがなく香ばしい香りを有し、味の良好な納豆加工品が出来るので、食品加工の場で種々利用できるので当該業界に益することが大である。
【発明を実施するための形態】
【実施例１】
【００１２】
ひき割り納豆２００ｇに、水で膨潤させミキサーで破砕した小豆１００ｇ、砂糖１００ｇをフードプロセッサーにて攪拌ミックスした。これをレトルトパウチに詰め、１２０℃で３０分加熱し、２４時間ホールドした後開封したところ、苦みがなく香ばしい甘い香りを有する納豆呈未ペーストを得た。
【実施例２】
【００１３】
白いんげん豆３００ｇで白あん７５０ｇを調整し、高温加熱したひき割り納豆７５０ｇとミックスして納豆加工品ができた。この納豆加工品を２４時間経過後に味をみたが、香ばしい香りを有し、苦み等はなかった。
【実施例３】
【００１４】
ひき割り納豆２００ｇに湯１００ｇを入れ８０℃まで加熱後、粉にした小豆１００ｇと砂糖１００ｇを攪拌ミックスした。これをレトルトパウチに詰め、１２０℃で３０分加熱し、２４時間ホールドした後開封したところ、香ばしい甘い香りを有する納豆呈未ペーストを得た。
【産業上の利用可能性】
【００１５】
本発明により苦みのない香ばしい香りと美味しい味を有する納豆加工品ができるので、食材として種種利用価値がでる。例えば甘味をコントロールして菓子パンの餡としての利用、又は水産加工品の調味料としての利用など、種種の活用方法が考えられる。
(57)【要約】【課題】歯面凸凹形状にフィットする弾力性及び伸縮性に富み、適度な吸水性を有し、マイクロ繊維シートにより除去付着した歯垢及び着色汚れなどによりマイクロ繊維シート網目が目詰まりしないような構造の歯面清掃及び口腔内清掃具の開発を課題とした。【解決手段】弾力性、伸縮性及び吸水性に優れた発泡素材平面に、低温度で溶解する熱可塑性樹脂を積層し次にマイクロ繊維シートを積層した後、加熱プレス機により熱可塑性樹脂のみが溶解する温度を加えることで、発泡素材とマイクロ繊維シートを溶着固定し清掃部を製造した。【選択図】図１
2015036100.tif 000002
【特許請求の範囲】
【請求項１】
発泡素材本体に低温度において溶解する熱可塑性樹脂シート、マイクロ繊維シートの順をもって積層した後、加熱ブレス機により加熱圧縮することにより、前記熱可塑性樹脂シートのみを溶解し発泡素材とマイクロ繊維シートを溶着したことを特徴とする歯面清掃及び口腔内清掃具。
【請求項２】
請求項１の製品であって、マイクロ繊維シート面がエンボス構造に圧縮溶着されていることを特徴とする歯面清掃及び口腔内清掃具。
【請求項３】
請求項１及び請求項２の製品であって、着色除去マイクロ繊維シート素材がアクリル系であることを特徴とする歯面清掃及び口腔内清掃具。
【請求項４】
請求項１乃至３の製造方法
【発明の詳細な説明】
【技術分野】
【０００１】本発明は歯面清掃及び口腔内清掃具とその製造方法に関する。
【背景技術】
【０００２】本発明は、今年５月発明の名称  歯面清掃及び口腔内清掃具とその製造方法（特許願２０１３−１１０３４６号）を出願し、その後の研究開発において、多数の製品化に向けての課題が生じたため、関連特許として今回特許出願したものである。
【発明の開示】
【発明者が解決しようとする課題】
【０００３】歯面清掃具の製品化に際し下記に示す課題が新たに生じた。
【０００４】第一に、極薄であるマイクロ繊維シートを専用ホルダーに装置できる厚さにするためには多枚数必要であり量産及びコスト面で問題が生じた。
又、歯面凸凹形状にフィットする弾力性及び伸縮性が必要であり適度な吸水性も重要である。それに加え、マイクロ繊維シートにおいて除去吸収した着色汚れによってマイクロ繊維シートが目詰まりを生じない構造が必要であり、これらの諸問題の解決を課題とした。
【０００５】上記した課題を解決する手段として、弾力性、伸縮性及び吸水性に優れたウレタンフォーム、メラミンフォームなどの発泡素材平面に、低温度で溶解する熱可塑性樹脂を積層し次に、マイクロ繊維シートを積層した後、加熱プレス機により熱可塑性樹脂のみが溶解する温度を加えることで、発泡材とマイクロ繊維シートを溶着し製品寸法にカットした後、専用ホルダーに装着完成品となった。
【発明の効果】
【０００６】発泡体を本体とし、マイクロ繊維シートを熱可塑性樹脂溶解により本体に固定することで、千差万別且、複雑形状の歯面及び歯間凹部にフィットし、効果的に歯垢、着色汚れを除去することが可能となった。
【０００７】マイクロ繊維シートにおいて歯面着色汚れを除去した場合、メラミンフォーム使用の場合と異なり、歯面を傷つけることが少なく、メラミンフォームの場合のような目に見えない微粉末の誤飲もなくなり、安全性が向上した。それに加え、強度も上昇し使用時の途中破損も減少した。
【発明を実施するための最良の形態】
【０００８】以下、本発明を実施するための最良の形態を図をもって説明する。【０００９】図１において、発泡部材本体１と溶着用シート２、マイクロ繊維シート３を加熱プレス機において溶着する方法を示した。
４は溶着圧縮方向を示したものである。【００１０】発泡部材本体１に使用する発泡材は、弾力性及び伸縮性に富んだ、ウレタンフォーム、メラミンフォームなどが好適である。
ウレタンフォームの場合は溶解温度が約１７０℃（メラミンフォームの場合は熱硬化性樹脂であり、変色温度が約２８０℃前後のため無関係）前後であり、マイクロ繊維シート３の材質をポリエステル、ポリプロピレン、アクリルとした場合、溶解温度は約１７０℃前後と考慮されることから溶解用シート２は、約１３０℃前後において溶解が始まるポリエチレンシートが好適である。【００１１】ポリエチレンシートを溶着用シート２として使用した場合、溶着工程においては問題なく溶着強度においても問題がないことが実験により判明したが、０．０５ｍｍ以上の厚さを有すると着色汚れを除去する目的であるマイクロ繊維シート３の目詰まりの原因となり、着色除去効率が大きく減少することが判明した。
よって、溶着用シート２の材質をポリエチレンシートとした場合、その好適な厚さは０．０２乃至０．０５ｍｍであった。【００１２】上記した方法によって製造された歯面清掃具においては、図２で示すように歯列５に対し清掃時圧力方向６を加えることにより、複雑形状の歯面にフィットし歯間凹部の歯垢及び着色汚れを効果的に除去することが可能となった。【００１３】又、発泡材を使用することで着色汚れ除去に必要な水及び唾液の吸水性及び保水性に優れ、それを潤滑液として着色汚れ除去効率が向上した。それに加え、除去した着色汚れを発泡材内部へ送り込む作用が生じ、マイクロ繊維シートの目詰まりが解消され、着色汚れ除去効率低下防止となった。【００１４】メラミンフォーム使用時と比較して、強度上昇により使用時間が長くなり、メラミンフォームを本体材として使用した場合においても表面がマイクロ繊維シートのため、微粉末の誤飲などが減少し安全である。
又、サンドペーパーと同原理のメラミンフォームと異なり、歯面を傷つけることも減少した。
【図面の簡単な説明】
【００１５】
【図１】発泡部材本体に溶着用シート及び、マイクロ繊維シートを積層た状態を示した斜射図。
【図２】歯面凸凹に対し、本発明品が密着清掃する原理を示したイメージ図
【符号の説明】
【００１６】１．発泡部材本体
２．溶着用シート
３．マイクロ繊維シート
４．溶着圧縮方向
５．歯列
６．清掃時圧力方向
【図１】
2015036100.tif 000003
【図２】
2015036100.tif 000004
(57)【要約】【課題】最も虫歯になりやすく、通常のブラッシングにおいて最も磨くことが難かしいとされる最後臼歯奥面と裏面その下部に位置する歯肉とエナメル質間の歯周ポケット部を効率よく磨き、歯垢除去可能な歯ブラシ製造を課題とした。【解決手段】最後臼歯奥面と裏面に正確にブラシ部が届くように歯ブラシ柄におけるネック部を細くすると同時に、口腔内形状を考慮し二カ所において湾曲させる構造とした。次に、そのネック部に弾力性を持たせ、歯面にフィットすることで歯垢除去力向上を計った。ブラシ部においても糸束列を１乃至３としＴ字形状とすることで一度のブラッシングにおいて広範囲が磨けるよう考えた。【選択図】図１
2015036099.tif 000002
【特許請求の範囲】
【請求項１】
最後臼歯奥面及び裏面、上下歯裏面を正確にブラッシング可能な歯ブラシであって、柄手持ち部長手方向に細く弾力性に富み且、口腔内操作性向上目的から二か所で湾曲したネック部を有し、その先端部にネック部に対し垂直なる長方形状の植え込みブラシ部を有することを特徴とする奥歯用歯ブラシ。
【請求項２】
請求項１の奥歯用歯ブラシであって、長方形状の植え込みブラシ部糸束列が長手方向に対し、１乃至３列であることを特徴とする奥歯用歯ブラシ。
【請求項３】
請求項１乃至２の奥歯用歯ブラシであって、ブラシ毛先端部がテーパー毛であることを特徴とする奥歯用歯ブラシ。
【請求項４】
請求項１乃至２の奥歯用歯ブラシであって、ブラシ毛先端部が山型にカットされていることを特徴とする奥歯用歯ブラシ。
【請求項５】
請求項１乃至４の奥歯用歯ブラシの製造方法
【発明の詳細な説明】
【技術分野】
【０００１】本発明は奥歯用歯ブラシとその製造方法に関する。
【背景技術】
【０００２】現在、市販される歯ブラシにおいては、その大半がブラシ部糸束のカット方法、太さ、色調、本数、先端加工方法などは異なるがその形状は、柄部片方端長手方向に平行に長方形状のブラシ部を有する商品が大半である。【０００３】数は少ないが近年、米国において製造された歯三面（平面、表面、裏面）を一度でブラッシング可能な商品や、ブラッシングの際手返しが不要なブラシ部が円筒形状の商品、上下歯表面を同時にブラッシング可能な商品、幼児に対しては他人磨き専用の商品なども販売されている。
【発明の開示】
【発明者が解決しようとする課題】
【０００４】本発明者が今回課題とした点は、通常のブラッシングにおいて最も磨くことが難しく歯垢が残ることにより歯石化、次に虫歯、歯周病の原因となる最後臼歯奥面、裏面が正確にブラッシング可能であり、尚且、上下歯裏面を正確にブラッシング可能な商品開発を課題とした。
【課題を解決するための手段】
【０００５】最後臼歯奥面及び裏面や上下歯裏面を正確且、容易にブラッシングできるように、グリップ部１片方端に位置するブラシ部３をグリップ部１長手方向に対して垂直（Ｔ字型）とし、ブラシ部糸列数を通常歯ブラシにおける４〜６列から１〜３列とコンパクト形状とした。
【０００６】次に、柄ネック部を通常品と比較して細くすると同時に弾力性を有するものとした。
又、ネック部形状においても最後臼歯４奥面及び裏面や上下歯裏面に正確に届くよう、一段ネック部１Ａ、二段ネック部１Ｂの部分で湾曲させた。
【０００７】上記したように、ブラシ部３をグリップ１に対し、垂直にしたことにより、最後臼歯奥面及び裏面や上下歯裏面を小数回で広範囲にブラッシング可能となった。
又、ブラシ部３における糸束列を１乃至３とコンパクト形状にしたことと、ネック部を細くし弾力性を有する構造且、二段階に湾曲させたことにより、最後臼歯奥面及び裏面下部に位置する歯肉とエナメル質間の歯周ポケット部の歯垢においても効率よく除去することが可能となった。上下歯裏面のブラッシングにおいても、ブラシ部３をＴ字型にしたことで一度に広範囲のブラッシングが可能となり、ネック部の弾力により歯面にフィットすることで歯垢除去力が向上した。
【発明を実施するための最良の形態】
【０００８】以下、本発明を実施するための最良の形態を図をもって説明する。【０００９】図１において奥歯用歯ブラシ背面形状を示し、図２において正面形状を示した。
図１乃至２から理解できるように、ブラシ部３をグリップ部１に対し垂直方向にし、ブラシ部３の糸束を１乃至３とし横に長いコンパクト形状とした。
これにより、ブラシ植毛台座部２においても従来の歯ブラシと比べ小型化することとなり、今迄ブラッシングが難かしく歯垢や歯石の付着が多い
最後臼歯奥面や、裏面、上下歯裏面、歯間凹部が効率よく清掃できた。【００１０】それに加え、図１乃至図３から理解できるように、一段ネック部１Ａと二段ネック部１Ｂの二カ所において湾曲させると同時に、そのネック部を細い構造とし弾力性を持たせることで、図３で示す最後臼歯４裏面の形状にフィットし、歯肉とエナメル質間にある歯周ポケットの清掃も可能となった。【００１１】本発明品の製造方法は、ブリップ部１においては射出成型により製造されブラシ植毛台座部２に位置する小孔に糸束を二つ折りし挿入後、平線（金属片）を打ち込み固定したものである。【００１２】上記の歯ブラシ製造方法においては一般的な方法であり公知ではあるが奥歯用歯ブラシとして、最後臼歯４を効率よく正確にブラッシングできるようネック部に湾曲と共に弾力性を持たす形状とした。
このネック部形状においては実験とモニタリングを繰り返し、設計構造したものである。【００１３】上記した方法以外にも下記に示す方法が実験の結果有効であった。【００１４】ブラシ部３に植毛する糸束を内側に各３乃至５度傾け糸束中央部分における糸束密度を上昇させる方法や、台座自身を湾曲させ糸束を中央部分に集中させる方法、糸束先端部を両面または片面テーパー形状とする方法、植毛後、糸束先端部をカットにおいて山型状や歯面形状に近い波型状にする方法も歯垢除去には有効であった。
【図面の簡単な説明】
【００１５】
【図１】奥歯用歯ブラシ背面図  （イメージ写真図）
【図２】奥歯用歯ブラシ正面図  （イメージ写真図）
【図３】奥歯用歯ブラシにおいて、最後臼歯をブラッシングするイメージ写真図
【符号の説明】
【００１６】１．  グリップ部
１Ａ．一段ネック部
１Ｂ．二段ネック部
２．  ブラシ植毛台座部
３．  ブラシ部
４．  最後臼歯
【図１】
2015036099.tif 000003
【図２】
2015036099.tif 000004
【図３】
2015036099.tif 000005
(57)【要約】【課題】  ノッチワイヤー式エレメントを洗浄するとき、洗浄しやすいように排気設備付装置内でロータリージョイントに接続したオネジ付洗浄機による洗浄装置を提供する。【解決手段】  組立式架台（１）に、排気設備（２）を接続したビニールハウス（３）を取付け、下部にエレメント置台（５）を入れた油受（４）を置き、ロータリージョイント（７）を取付けたオネジ付洗浄機（８）接続するジョイントパイプ（１０）及び二分割のメネジ（９）を設けたことを特徴とする。【選択図】図１
2015036142.tif 000002
【特許請求の範囲】
【請求項１】
組立架台（１）に排気設備（２）を接続したビニールハウス（３）内に複式内管回転型のロータリージョイント（７）を取付けたオネジ付洗浄機（８）に接続するジョイントパイプ（１０）と２分割したメネジ（９）を設けたことを特徴とするノッチワイヤー式エレメント洗浄装置。
【発明の詳細な説明】
【技術分野】
【０００１】  この発明は、ノッチワイヤー式エレメントを排気設備付き装置内でロータリージョイントを用いたオネジ付洗浄機による洗浄装置に関するものである。
【背景技術】
【０００２】  従来、ノッチワイヤー式エレメントの洗浄方法は、片手でエレメントを持ち、片手で、市販のエンジンクリーナーで圧縮空気、洗浄液を使用し洗浄していた。
【先行技術文献】
【０００３】
【発明の概要】
【発明が解決しようとする課題】
【０００４】これは、つぎのような欠点があった。
（イ）ノッチワイヤー式エレメントにエンジンクリーナーを接触させ損傷させる虞があった。
（ロ）作業者の熟練度により洗浄効果にバラツキがあった。
（ハ）洗浄時、洗浄液、ゴミ等が飛散し周囲の構造物、電気系統へ付着する虞があった。
本発明は、以上のような欠点をなくすためになされたものである。
【課題を解決するための手段】
【０００５】  組立式架台（１）に、排気設備（２）を接続したビニールハウス（３）を取付け、下部に油受（４）を置き、エレメント置台（５）を乗せ、その上にエレメント（６）を横置し、片方よりロータリージョイント（７）を取付けたオネジ付洗浄機（８）を入れ回転させながら軸方向に移動し洗浄する。
本発明は、以上の構成よりなるノッチワイヤー式エレメントの洗浄装置である。
【発明の効果】
【０００６】  エレメント内貫通両端支持で回転洗浄する為、洗浄機を接触させ損傷させることもなく、洗浄効果も良いし、作業者の熟練度に関係なく同様な洗浄結果が出る。
排気設備付装置内洗浄としたので洗浄液、油分、ゴミ等の飛散がない。
【図面の簡単な説明】
【０００７】
【図１】  本発明の斜視図である。
【図２】  本発明に、エレメント架台、エレメントを置いた状態を示した平面図である。
【課題を実施するための形態】
【０００８】  以下、本発明を実施するための形態について説明する。
組立式架台（１）に、排気設備（２）を接続したビニールハウス（３）を取付ける。
下部に油受（４）を置き、エレメント置台（５）を乗せ、その上にエレメント（６）を横置にする。
片方よりロータリージョイント（７）を取付けたオネジ付洗浄機（８）を二分割のメネジ（９）に入れジョイントパイプ（９）に接続し、回転させながら軸方向に移動し洗浄する。
本発明は、以上のような構造である。
【符号の説明】
【０００９】  １  組立式架台
２  排気設備
３  ビニールハウス
４  油受
５  エレメント置台
６  エレメント
７  複式内管回転型ロータリージョイント
８  オネジ付洗浄機
９  二分割のメネジ
１０  ジョイントパイプ
１１  ロータリージョイント受台
【図１】
2015036142.tif 000003
【図２】
2015036142.tif 000004
(57)【要約】      （修正有）【課題】病人の体位変換時に、臥位時から座位さらに座位から立位を補助する介助器具を提供する。【解決手段】椅子の座面部２と背面部１と前脚部３からなり、座面部後部中央部に支点４となる凸部を設け、病人を臥位から座位へさらに座位から立位へと介助を補助することを特徴とした介助器具。【選択図】図１
2015036101.tif 000002
【特許請求の範囲】
【請求項１】
椅子の座面部と背面部と前脚部を設け、前脚部の間に足乗せ部を設け、座面後部中央に支点となる凸部を設け、病人の体位変換を補助することを特徴とする介助器具
【発明の詳細な説明】
【技術分野】
【０００１】  本発明は、ベッドにて病人を臥位から座位、さらに立位へと移動を補助する介助器具に関するものである。
【背景技術】
【０００２】    ベッドで寝ている病人を座位まで体位変換するには  病人が寝たきりの場合体幹の筋力がないため  介助者は自分の体重を利用したりして技術と体力を要する。病人にベルトを装着した座位保持装具が考案されているが調節に時間を要する。
【特許文献１】特開２００５−１３３０４
【発明の概要】
【発明が解決しようとする課題】
【０００３】    病人の体位変換は体力と技術を要し  特に  病人が寝たきりの場合病人の体幹筋力が無いため上体が二つ折れとなり  介助者は病人の協力が得られず過大な力を要し腰を傷めることもある。  本発明はこのような問題点を解決するためになされたものである。
【課題を解決するための手段】
【０００４】  本発明は椅子の座面部と背面部と前脚部からなる。椅子の脚の後脚部を除いた形態である。
前脚部の間は背面部と同じ様に足置き部を設ける。さらに座面後部の中央に支点となる凸部を設ける。    以上を特徴とする介助器具である。
【発明の効果】
【０００５】  病人の体位変換が楽となる。また  座位から立位に移動するときの補助となる。  さらに車輪または台車と組み合わせれば移動手段としても利用できる。
【図面の簡単な説明】
【０００６】
【図１】本発明のパイプ製の基本構造の斜視図
【図２】本発明に病人を乗せた様子を示す側面図
【図３】本発明に病人を乗せ支点で回転している様子を示す側面図
【図４】本発明を利用して病人を座位にした側面図
【図５】本発明を利用して立位介助の１例を示す側面図
【図６】台車を利用した一例の斜視図
【図７】本発明に車輪を装着した斜視図
【発明を実施するための形態】
【０００７】  形態は  椅子の背面部と座面部と前脚部からなる。一般的な  ４脚の椅子の後脚を除いた形態である。且つ、座面後方の中央に突出を設け支点とする。また  前脚部の間に下腿を置く足置き部を設ける。
【実施例】
【０００８】  病人を側臥位にして本発明を背部に接するように置いて本発明と病人を一体として
仰臥位とする。仰臥位のまま本発明を病人の背部に滑り込ませてもよいし、病人を側臥位にして本発明をベッド上に置き病人を仰臥位にしてのせてもよい（図２）。病人の体幹がしっかりしないときは本発明にベルトが紐で体を固定すればよい。このとき支点に板を置きソファの沈み込みを防ぐ（図３）。図１はパイプで作成した本発明である。パイプ間を帯状のもので作成してあるが  一般的な椅子の背面座面の材料を使用してもよい。背面部の上部を持ちあげると病人の重心が支点に近づき支点を中心に回転させるのに大きな力を要さなくなる（図３）。図４は病人が本発明にて座位になったところである。背面部を布団等で固定すれば座位が安定する。【０００９】  病人がつかまり立ちができるが下肢筋力低下にてベッドから立てない場合  本発明に病人を乗せたままベッドから降ろし  病人の足を接地させ本発明を前傾させると病人を立位に誘導できる（図５）。【００１０】  図６では  本発明を  台車に乗せることにより移動できる例を示した。
発明の幅を車いすの座面の幅より小さくすれば  このまま車いすに乗せることができる。【００１１】  本発明に車輪を装着することにより移動することもできる（図７）
【符号の説明】
【００１２】  １  背面部
２  座面部
３  前脚部
４  支点
５  足置部
６  板
７  ベッド
８  台車
【図１】
2015036101.tif 000003
【図２】
2015036101.tif 000004
【図３】
2015036101.tif 000005
【図４】
2015036101.tif 000006
【図５】
2015036101.tif 000007
【図６】
2015036101.tif 000008
【図７】
2015036101.tif 000009
(57)【要約】      （修正有）【課題】金属鍋、金属食器、水筒内の洗浄を電動式にて実施し、省力化すること。【解決手段】ハンディータイプの電動機に回転式の研磨タワシ１を取り付けたことを特徴とする、電動式洗浄機である。鍋底等の汚れにこの回転式研磨タワシ１を押し付けることにより省力的、効率的に洗浄できる。また、ハンディータイプの電動機の回転部にワンタッチ差込部２を設けたことにより、研磨タワシ１以外の回転式スポンジを装着できるようにしたことである。これにより、水筒内部の洗浄も省力的、効率的に実施できるようになった。【選択図】図１
2015036106.tif 000002
【特許請求の範囲】
【請求項１】
電動式ハンディータイプモーターを使用した、ワンタッチ着脱式回転研磨タワシを導入したことを特徴とする電動式  金属鍋、金属食器、水筒内  洗浄機。
【請求項２】
電動式ハンディータイプモーターへの回転研磨タワシの装着をワンタッチ着脱式にしたことにより、回転スポンジへの差し替えも可能とした電動式、金属鍋、金属食器、水筒内  洗浄機。
【発明の詳細な説明】
【発明の分野】
【０００１】  本発明は、電動式  鍋、金属食器、水筒内洗浄機に関するものであり、ハンディータイプの電動機への装着部品を取り替えることにより、鍋、食器、水筒の洗浄に対応するようにしたものである。
【技術背景】
【０００２】  従来より日常的に、手動式で行なわれている作業であるが、省力化、効率性を考えた例としては、特許文献１に開示されているものがある。
【特許文献１】  登録実用新案  第３１７０９９５号
【発明の開示】
【発明が解決しようとする課題】
【０００３】  しかし、従来のような手法では、人的な非常に疲れる作業を必要とし、効率性の点でも大変疑問の残る作業であった。本発明はこのような問題を解決することを課題とする。
【課題を解決する為の手段】
【０００４】  この課題を解決する為の請求項１の発明は、ハンディータイプの電動機に回転式の研磨タワシを取り付けたことを特徴とする、電動式洗浄機である。鍋底等の汚れにこの回転式研磨タワシを押し付けることにより省力的、効率的に洗浄できる。
【０００５】  また、請求項２の発明は、ハンディータイプの電動機の回転部にワンタッチ差込部を設けたことにより、研磨タワシ以外の回転式スポンジを装着できるようにしたことである。これにより、水筒内部の洗浄も省力的、効率的に実施できるようになった。
【発明の効果】
【０００６】  本発明により、鍋、金属食器、水筒等の研磨、洗浄が人的な非常に疲れる作業を必要とせずに、効率的に実施できるようになった。
【発明を実施する為の最良の形態】
【０００７】  図１は、回転式の研磨タワシを装着時の側面から見た図（一部はゴムカバー内部の図）である。図を見て分かるように、回転式研磨タワシの作業面はゴムカバーの裾より上部に位置しており、洗浄作業時に水、汚れ等が周囲に飛び散るのを防止できる。
【０００８】  図２は、ハンディータイプモーターと回転式の研磨タワシの装着部を横から見た図である。図を見て分かるように、２箇所のフックによる引っ掛け固定式である。また、ハンディータイプモーターはケース内に固定され、ギヤー、電池、ＳＷを含む一体型である。ウォームギヤーを使用した事により、減速効果とともに強力なトルクが発生する構造となっている。
【０００９】  図３は、水筒内部洗浄用の回転スポンジ部であり、研磨タワシと差し替えてハンデータイプモーターに装着して使用する。スポンジを回転させることにより均一な洗浄力を水筒内部全域にいきわたらせることができる。
【００１０】  図４は、本発明のハンディータイプモーター収納ケース内の電気回路図である。ＳＷはケース横に取り付けて、ＳＷを押した時のみモーター駆動するようにしている。
【産業上の利用可能性】
【００１１】  本発明に掛かる電動式洗浄機は、工業的に量産する事が可能である為、産業上の利用可能性を有する。
【図面の簡単な説明】
【００１２】
【図１】  回転式の研磨タワシを装着時の側面から見た図である。
【図２】  ハンディータイプモーターと回転式の研磨タワシの装着部を横から見た図である。
【図３】  水筒内部洗浄用の回転スポンジ部の図である。
【図４】  本発明のハンディータイプモーター収納ケース内の電気回路図である。
【図５】  回転式の研磨タワシを装着時の下部から見た図である。
【符号の説明】
【００１３】  １回転式研磨タワシ
２装着用フック
３モーター
４ＳＷ
５ゴムカバー
６ウォームギヤー
７スポンジ
【図１】
2015036106.tif 000003
【図２】
2015036106.tif 000004
【図３】
2015036106.tif 000005
【図４】
2015036106.tif 000006
【図５】
2015036106.tif 000007
(57)【要約】【課題】  本発明は、卵を割るときに殻が混入したり、手を汚してしまうことを防止して、衛生的に、より簡単に卵を割ることができるように工夫した卵割り器を提供する。【解決手段】  左右に分割した収納容器（１）の上端を開閉支点（２）で固定し、薄い板状の突起物（４）を収納容器（１）の下部に設け、上部の端を開閉支点としたことを特徴とする卵割り器。【選択図】図１
2015036102.tif 000002
【特許請求の範囲】
【請求項１】
左右に分割した収納容器（１）の上端を開閉支点（２）で固定し、薄い板状の突起物（４）を収納容器（１）の下部に設け、上部の端を開閉支点としたことを特徴とする卵割り器。
【請求項２】
薄い板状の突起物（４）を収納容器（１）の下面に設けたことを特徴とする請求項１記載の卵割り器。
【請求項３】
収納容器（１）の形状を球状体とすることを特徴とする請求項１記載、または、請求項２記載の卵割り器。
【発明の詳細な説明】
【技術分野】
【０００１】  本発明は、卵を割るときに殻が混入したり、手を汚してしまうことを防止して、衛生的に、より簡単に卵の殻を割ることができるように工夫した卵割り器に関するものである。
【背景技術】
【０００２】  従来、家庭などにおいて卵を割るとき、専用の補助器はなく、生卵の殻を片手で握って、調理台や鍋の縁、あるいは、茶碗の縁等に打ちつけて割っていた。
また、身近にある容器などを利用していた。
そのため、きれいに殻が割れず、殻の破片が中身に混じることがあった。
【先行技術文献】
【特許文献】
【０００３】
【特許文献１】  特開２０００−２２５０６４号公報
【特許文献２】  特開平１１−１６９３０５号公報
【特許文献３】  特開平７−３９３４３号公報
【特許文献４】  特開平６−３２７５７３号公報
【発明の概要】
【発明が解決しようとする課題】
【０００４】  そのために、次のような問題点があった。
従来、少数の卵を割るときは、角にぶつけたりして、割れ目をつけ、２つに割り、卵の中身を取り出していたが、このとき、卵に割れ目がきれいに入らず、２つに割れにくく、また、殻の破片が中味にまじることが多かった。
卵を割るときに、うまく割れなくて、つぶしたり、殻が混入することがあった。
また、手を汚してしまうことを防ぎ、簡単に卵が割れて、中身を取り出せるように工夫した。
本発明は、左右２つの収納容器からなり、下からの突起物に卵下部をくいこませ割れ目を入れる。
本発明は、これらの問題点を解決されるためになされたものである。
【課題を解決するための手段】
【０００５】  左右の収納容器（１）を上端の開閉支点（２）で固定し、下部に薄い板状の突起物（４）をそれぞれ設けたことを特徴とする卵割り器。
【発明の効果】
【０００６】  卵をのせた収納容器（１）をにぎり下からたたき上げることにより、卵の下部にきれいに割れ目が入り、卵にふれることなく左右に開くことにより、２つに割り中身を取り出し閉じてさかさにすれば、殻が下に落ちることを特徴とした卵割り器。
そのまま収納容器（１）を左右に開けば、手早く中身を下に落せるように解決したものである。
【図面の簡単な説明】
【０００７】
【図１】  本発明の左右収納容器が閉じられた状態の正面図である。
【図２】  本発明の卵を２つに割ったときの説明図である。
【図３】  本発明の卵を乗せたときの平面図である。
【図４】  本発明の収納容器を左右に開いたときの斜視図である。
【図５】  本発明の収納容器の底部に卵を乗せ、薄い板状の突起物がその下に位置したときを正面から見た説明図である。
【発明を実施するための形態】
【０００８】  以下、本発明の実施の形態について説明する。
左右の収納容器（１）を上端の開閉支点（２）で固定し、下部に薄い板状の突起物（４）をそれぞれ設けたことを特徴とする卵割り器である。
図１は、左右に分割した収納容器（１）の上端の開閉支点（２）を軸に垂直に閉じた状態で、卵に割れ目を入れるため薄い板状の突起物（４）の上に乗せたときの正面図である。
図２は、図１の状態でたたき台、および、置き台（３）を下からたたき上げ、卵の底部に割れ目を入れ、左右に開くと薄い板状の突起物（４）が連動して割れ目を開き、中身が下に落ちるときの説明図である。
図３は、卵を薄い板状の突起物（４）の上に乗せた平面図である。
図４は、収納容器（１）を左右に開いたときの斜視図である。
図５は、第２の実施の形態として、卵が収納容器（１）の底面に置かれ、薄い板状の突起物（４）がその下に沈んだときを正面から見た説明図である。
この状態で薄い板状の突起物を上にスライドさせるたたき台（６）をたたき上げれば、薄い板状の突起物（４）がスライド上昇し、図２と同じ状態になる。
卵がきれいに割れ、殻の破片が中身に混じらない理由を簡単に説明する。
収納容器（１）に薄い板状の突起物（４）に乗せ片手で押さえこみ、たたき台、および、置き台（３）をたたき上げれば、左右１枚化した薄い板状の突起物（４）が卵底部にくいこみ割れ目を入れ、収納容器（１）を左右に開けば、くいこんだ薄い板状の突起物（４）が連動して、卵を２つに割り、中身が下に落ちることとなる。
本発明は、左右２つの収納容器（１）からなり、下からの薄い板状の突起物（４）に卵の下部をくいこませ割れ目を入れる。
薄い板状の突起物（４）であるため、きれいに割りが入るため２つに割ったときは、中身だけが下に落ちカラの破片は中身に混じらない。
【符号の説明】
【０００９】    １  収納容器
２  開閉支点
３  たたき台、および、置き台
４  薄い板状の突起物
５  卵の収納容器内における位置決めのための繊毛
６  薄い板状の突起物を上にスライドさせるたたき台
【図１】
2015036102.tif 000003
【図２】
2015036102.tif 000004
【図３】
2015036102.tif 000005
【図４】
2015036102.tif 000006
【図５】
2015036102.tif 000007